Podtech/llm-jp-corpus-v4-ja_patent huggingface dataset:
(57)【要約】【課題】  本発明は建築、構築物の内壁材、外壁材、屋根材、天井材、床材、間仕切り材、あるいは防火戸、等として使用できる外装材に関するものである。【解決手段】  左右端部に雄雌連結構造を有する長尺状の外装材において、固定片７を上方に屈曲して形成した外装材Ａである。【選択図】図１
2006177008.tif 000002
【特許請求の範囲】
【請求項１】
左右端部に雄雌連結構造を有する長尺状の外装材において、固定片を上方に屈曲して形成したことを特徴とする外装材。
【発明の詳細な説明】
【技術分野】
【０００１】
本発明は建築、構築物の内壁材、外壁材、屋根材、天井材、床材、間仕切り材、あるいは防火戸、等として使用できる外装材に関するものである。
【背景技術】
【０００２】
一般に、金属製板材をロール成形、プレス成形等して加工した外装材は数多く上市され、その形状は、所謂落とし込み構造であった。（例えば、特許文献１〜５参照）。
【０００３】
【特許文献１】特開平１１−１７２８８４号公報
【特許文献２】特開平１１−１７２８９２号公報
【特許文献３】特開平１１−２１０１４９号公報
【特許文献４】特開２００２−２２０９０８号公報
【特許文献５】特開２００２−２３５４２３号公報
【発明の開示】
【発明が解決しようとする課題】
【０００４】
特許文献１〜５は落とし込み構造であるが、防水性、気密性、係合力、等に欠けるものであった。
【課題を解決するための手段】
【０００５】
本発明はこのような欠点を解決するために、左右端部に雄雌連結構造を有する長尺状の外装材において、固定片を上方に屈曲して形成した外装材を提供するものである。
【発明の効果】
【０００６】
本発明に係る外装材によれば、（１）防水性が向上する。（２）気密性が向上する。等の特徴、効果がある。
【発明を実施するための最良の形態】
【０００７】
以下に図面を用いて、本発明に係る外装材の一実施例について詳細に説明する。すなわち、外装材Ａは図１、図２（ａ）、（ｂ）に示すように、表面材１と裏面材２で例えば合成樹脂発泡体からなる芯材３を、サンドイッチした外装材Ａである。また、図３は施工状態を示す断面図である。
【０００８】
外装材Ａの全体形状の一例としては図１、図２（ａ）、（ｂ）に示すように、長尺で金属製の薄板からなる表面材１と裏面材２間に芯材３をサンドイッチし、幅方向の一端に形成した雄型連結部４、他端に形成した雌型連結部５とから形成し、雄型連結部４の裏面には凹条に窪ませた凹部６を形成し、雌型連結部５の上端には固定片７を形成し、固定片７の先端を上方に屈曲して、凹部６内に収まるように形成した凸部８を形成したものである。また、図３において、αは躯体、βは固定具である。勿論、外装材Ａとしては、窯業系サイディング、金属系パネル、セラミック材、ＡＬＣパネル、等よりなるものでも良いものである。
【０００９】
表面材１と裏面材２は金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、塩化ビニル樹脂、ポリカーボネイト樹脂等（勿論、これらを各種色調に塗装したカラー板を含む）の一種をロール成形、プレス成形、押出成形等によって各種形状に成形したもの、あるいは無機質材を押出成形、プレス成形、オートクレーブ養生成形等して各種任意形状に形成したもの、さらには、裏面材２はアルミニウム蒸着紙、アスベスト紙、クラフト紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート状物からなるものである。
【００１０】
芯材３は例えばポリウレタンフォーム、ポリイソシアヌレートフォーム、フェノールフォーム、塩化ビニルフォーム、ポリエチレンフォーム、ポリスチレンフォーム、ユリアフォーム等、の合成樹脂発泡体からなるものであり、特に耐火性を必要とする場合にはレゾール型フェノールの原液と、硬化剤、発泡剤を混合し、表面材１、もしくは裏面材２の裏面側に吐出させ、加熱して反応・発泡・硬化させて形成したものである。また、芯材３中には各種難燃材として軽量骨材（パーライト粒、ガラスビーズ、石膏スラグ、タルク石、シラスバルーン、水酸化アルミニウム等）、繊維状物（グラスウール、ロックウール、カーボン繊維、グラファイト等）を混在させ、耐火性、防火性を向上させることもできる。勿論、芯材３としてロックウール、グラスウール、セラミックウール等の無機材を使用しても良いものである。
【００１１】
Ｂは無機ボードであり、ケイ酸カルシウム板、炭酸カルシウム板、石膏ボード、パーライトセメント板、ロックウール板、スレート板、ＡＬＣ板、ＰＣ板、その他の無機質軽量体、無機質軽量発泡体等、あるいはこれらの複合板よりなるものである。
【００１２】
Ｃ、Ｄ、Ｅはパッキング材であり、防水性、気密性、さらには耐火性を向上するために形成するものであり、定型で弾性のあるパッキング材としては、例えば発泡ゴム、ポリ塩化ビニル系、クロロプレン系、クロロスルホン化ポリエチレン系、エチレンプロピレン系、アスファルト含浸ポリウレタン系、ＥＰＭ、ＥＰＤＭ等の一般的に市販されているものである。また、これらの成分の中に、耐火性、防火性を有する例えばポリリン酸アンモニウム、水酸化アルミニウム、フェノール樹脂粒、カーボンブラック、グラファイト（発泡、非発泡）等の難燃材を混入することもできる。
【００１３】
凹部６は、雄型連結部４側の裏面に形成し、固定片７の凸部８が当接される部分である。
【００１４】
雌型連結部５に形成した固定片７は、図３に示すように固定具βにより、躯体αに外装材Ａを固定するための部分である。さらに、凸部８は、固定片７の先端を上方に屈曲し、雄型連結部４に形成した凹部６に内包され、先端部分が当接されることにより、連結部の防水性、気密性を向上するものである。なお、凹部６の幅をＨ、高さをＴ、固定片７と凸部８の幅をｈ、高さをｔとすると、Ｈ≒ｈ、Ｔ≒ｔの関係である。
【００１５】
以上説明したのは本発明に係る外装材の一実施例にすぎず、図４（ａ）〜（ｃ）に示すように外装材Ａを形成することもできる。
【図面の簡単な説明】
【００１６】
【図１】本発明に係る外装材の代表例を示す断面図である。
【図２】本発明に係る外装材の代表例を示す断面図である。
【図３】本発明に係る外装材の施工状態を示す断面図である。
【図４】本発明に係る外装材の施工状態を示す断面図である。
【符号の説明】
【００１７】
α  躯体
β  固定具
γ  通気路
Ａ  外装材
１  表面材
２  裏面材
３  芯材
４  雄型連結部
５  雌型連結部
６  化粧面
７  側壁
８  側壁
９  凹部
【図１】
2006177008.tif 000003
【図２】
2006177008.tif 000004
【図３】
2006177008.tif 000005
【図４】
2006177008.tif 000006
(57)【要約】      （修正有）【課題】造り易く、しかも、解体および部材の再利用がしやすい耐力壁にする。【解決手段】縦横の軸材で囲まれた開口５に、それと同じ大きさに裁断した構造用面材６をはめ込む。構造用面材は十分な厚みの構造用合板を用いる。嵌め込んだ構造用合板の外面と柱の外面に胴縁１０ａを何段かに渡って沿わせ、胴縁１０ａを構造用合板および柱にねじ釘９で止める。【選択図】図１
2006177009.tif 000002
【特許請求の範囲】
【請求項１】
厚手の構造用合板からなる面材を、縦横の軸材で囲まれた開口の中に入る大きさに裁断して該開口の中にはめ込み、隣り合う該軸材外面の間に何段かに渡した胴縁を、該面材と該軸材にねじ釘で固定したことを特徴とする木造住宅の耐力壁。
【発明の詳細な説明】
【技術分野】
【０００１】
この発明は、軸組み木造住宅における耐力壁に関する。
【背景技術】
【０００２】
軸組工法では、長方形に組まれた軸組の中に対角線方向に筋交いを入れ、この筋交いに地震や風圧などによる水平力を負担させるようにして、軸組および壁体の変形を防止するのが普通である。また、筋交いと軸組の接合部は金具で補強して筋交いと軸組の一体性を高めるようにしている。面材は、周縁部を柱の外面にあてがい、釘ないしビス止めされる。面材は同時に筋交いにも釘ないしビス止めされる
【０００３】
このような構造は、施工が面倒であり、建設コストが高く付く。また、解体後の部材を再利用しようとしても、解体がたいへん面倒であり、柱や面材などの部材に傷が付きやすく、再利用が難しいという問題がある。
【発明の開示】
【発明が解決しようとする課題】
【０００４】
この発明は、造り易く、しかも、解体および部材の再利用がしやすい耐力壁を得ることを課題とする。
【課題を解決するための手段】
【０００５】
この発明に係る木造住宅の耐力壁は、厚手の構造用合板からなる面材を、縦横の軸材で囲まれた開口の中に入る大きさに裁断してその中にはめ込む。そして、隣り合う該軸材外面の間に何段かに渡した胴縁を、該面材と該軸材にねじ釘で固定する。サイディング材はこれら胴縁を足掛かりとして取り付ける。
【０００６】
この構造は、厚手の構造用合板を縦横の軸材で囲まれた開口の中に嵌め込んで胴縁で固定したものであり、軸材で囲まれた合板が地震時の水平力に抵抗し、軸組が平行四辺形に変形するのを防止する。このため、筋交いが不要になり、建築工事が極めて簡単になる。また、このように筋交いがなく、また、胴縁はねじ釘で止めるようにしたので、ねじ釘を外すだけで壁を容易に解体することができ、解体して取り出した合板は、大きな傷が残らないので再利用しやすいという効果がある。
【０００７】
以上のように、この発明によれば、工事が簡単で強度があり、しかも、容易に解体再利用ができる耐力壁が得られる。
【発明を実施するための最良の形態】
【０００８】
図１に示すように、縦方向の軸材（柱１）と横方向の軸材（土台２や桁３）で囲まれた開口５に、それと同じ大きさに裁断した構造用面材６をはめ込む。構造用面材は、十分な厚み（例えば28mm）の構造用合板を用いる。嵌め込んだ構造用合板の外面と柱の外面に胴縁１０ａ、１０ｂを何段かに渡って沿わせ、図４に示すように胴縁を構造用合板および柱にねじ釘９で留める。胴縁と胴縁の継目が一線に並ばないよう、図２に示すように、胴縁は互い違いに配置する。最上段と最下段の胴縁１０ｂは幅広に形成し、桁３または土台２に半分被るよう取り付ける。これら胴縁１０ａ、１０ｂを利用してサイディング材１１を張る。
【０００９】
構造用合板６の内側には、グラスウール等の断熱材１２を詰め、柱１と柱１の間に渡した胴縁１３を利用して内張板１４を張る。
【００１０】
このものでは、地震や大風による水平力を、軸組の中に嵌め込んだ構造用合板６に負担させて軸組の変形を防止することができる。建物を取り壊すときは、サイディングおよび胴縁を取り外した後、ねじ釘９を外すだけで、構造用合板６を簡単に外すことができる。また、軸組の解体も、筋交いがないので容易に行える。
【図面の簡単な説明】
【００１１】
【図１】耐力壁の組立斜視図である。
【図２】組立途中の耐力壁の立面図である。
【図３】耐力壁の縦断面図である。
【図４】耐力壁の水平断面図である。
【符号の説明】
【００１２】
１    柱
２    土台
３    桁
５    開口
６    面材としての構造用合板
９    ねじ釘
１０ａ、１０ｂ  胴縁
【図１】
2006177009.tif 000003
【図２】
2006177009.tif 000004
【図３】
2006177009.tif 000005
【図４】
2006177009.tif 000006
(57)【要約】【課題】  この発明は、夏場のプールやビーチにおける水遊びにおいて、日射により極めて高温となったプールサイドのコンクリート床面や砂浜から足の裏を保護するとともに、小さく、軽量で、荷物とならず、プールや海水浴への携帯に便利な簡易サンダルを提案する。【解決手段】  夏場のプールやビーチにおいて、素足に履く水遊び用の簡易サンダルであって、爪先から土踏まず２１先端に至る足裏の前方部に装着するように、これに適した形状、大きさに形成し、断熱材の底材１２を備え、指を掛ける鼻緒材１５、１６を設ける。【選択図】  図１
2006081566.tif 000002
【特許請求の範囲】
【請求項１】
夏場のプールやビーチにおいて、素足に履く水遊び用の簡易サンダルであって、
爪先から土踏まず２１先端に至る足裏の前方部に装着するように、これに適した形状、大きさに形成し、断熱材の底材１２を備え、指を掛ける鼻緒材１５、１６を設けた水遊び用の簡易サンダル。
【請求項２】
第１指用の鼻緒材１５と第２指から第５指用の鼻緒材１６を設けた請求項１に記載の水遊び用の簡易サンダル。
【請求項３】
厚さを１ｃｍ以下とした請求項１又は２に記載の水遊び用の簡易サンダル。
【発明の詳細な説明】
【技術分野】
【０００１】
この発明は、夏場のプールやビーチにおいて、素足に履く水遊び用の簡易サンダルに関するものである。
【背景技術】
【０００２】
夏場のプールでは、プールサイドのコンクリート床面が日射により極めて高温となり、素足での歩行が困難で、これは、海水浴場の砂浜も同様である。一方、海水浴等で素足に履く履物としては、ビーチサンダルがある。しかし、このビーチサンダルは、荷物となるため携帯に不向きである。
【発明の開示】
【発明が解決しようとする課題】
【０００３】
この発明は、夏場のプールやビーチにおける水遊びにおいて、素足に履く簡易サンダルを提案し、日射により極めて高温となったプールサイドのコンクリート床面や砂浜から足の裏を保護するとともに、小さく、軽量で、荷物とならず、プールや海水浴への携帯に便利な簡易サンダルを提案するものである。
【課題を解決するための手段】
【０００４】
こうした課題を解決するため、この発明は、夏場のプールやビーチにおいて、素足に履く水遊び用の簡易サンダルであって、爪先から土踏まず２１先端に至る足裏の前方部に装着するように、これに適した形状、大きさに形成し、断熱材の底材１２を備え、指を掛ける鼻緒材１５、１６を設けるものである。
【０００５】
また、鼻緒材は、第１指（親指）用の鼻緒材１５と第２指から第５指用の鼻緒材１６を設けるものである。
【０００６】
また、この発明の簡易サンダルは、厚さを１ｃｍ以下とするものである。
【発明の効果】
【０００７】
この発明の簡易サンダルは、爪先から土踏まず先端に至る足裏の前方部に装着するように、これに適した形状、大きさに形成するので、通常のビーチサンダルの１／３程度の大きさであり、小さく、軽量で、荷物とならず、プールや海水浴への携帯に便利である。また、断熱材の底材１２を備えているので、爪先歩きすれば、日射により極めて高温となったプールサイドのコンクリート床面や砂浜から足の裏を保護することができ、爪先歩きの奨励は、足指関節を刺激し、姿勢矯正にも効果的である。また、踵は指先等より熱さを感じないので、足裏の前方部のみ直接コンクリート床面や砂浜に接触することがなければ、通常歩行も容易である。
【０００８】
また、第１指用の鼻緒材１５と第２指から第５指用の鼻緒材１６を設けることで、足の前方部に確実に装着され、簡単に脱げることなく歩行することができる。
【０００９】
また、この発明の簡易サンダルは、水遊びにおける足裏の断熱、保護が目的であるので、厚さは１ｃｍ以下で十分に足り、できるだけ薄肉とすることが軽量化、携帯性からも好ましい。
【発明を実施するための最良の形態】
【００１０】
以下に、この発明の最良の形態について実施例に基づいて説明する。
図面は、この発明の水遊び用の簡易サンダルの具体的な実施例で、図１にその形状を示す。図に示すように、簡易サンダル１０は、通常のビーチサンダルの前方部１／３程度の大きさであり、足裏が直接当接するのに適した甲材１１の裏面に、発泡断熱素材等の底材１２を貼り合わせて全体として薄肉に形成されている。簡易サンダル１０の甲面は、装着時にフィット感が得られるように、周縁１３の肉厚部と、足裏（足指）に合わせた起伏面で形成され、周縁１３及び起伏の肉厚部でも厚さ１ｃｍ以下で、薄肉部で５ｍｍの厚さである。また、甲面には、第１指用の鼻緒材１５と第２指から第５指用の鼻緒材１６が設けられている。
【００１１】
図２、３は、この簡易サンダル１０を足２０に装着した状態を示し、図２は平面図、図３は裏面図である。図に示すように、簡易サンダル１０は、第１指を鼻緒材１５に、第２指から第５指を鼻緒材１６に掛けて履き、爪先から土踏まず２１先端に至る足裏の前方部に装着する。
【００１２】
図４は、プールサイドのコンクリート床面２４で、この簡易サンダル１０を装着した歩行の状態を示す。図に示すように、爪先歩きすれば、極めて高温となったコンクリート床面２４に足の裏が直接接触することがなく、踵は指先等より熱さを感じないので、通常歩行も容易である。
【００１３】
以上のように、この発明の水遊び用の簡易サンダルは、小さく、軽量で、プールやビーチへの携帯に便利であるとともに、製作も簡単でコストも安価である。また、従来にない形状のサンダル（履物）であり、意匠デザイン上も新規且つ面白いものである。
【図面の簡単な説明】
【００１４】
【図１】この発明の実施例の斜視図。
【図２】足に装着した状態の平面図。
【図３】足に装着した状態の裏面図。
【図４】足に装着した状態の側面図。
【符号の説明】
【００１５】
１０  簡易サンダル
１２  底材
１５、１６  鼻緒材
【図１】
2006081566.tif 000003
【図２】
2006081566.tif 000004
【図３】
2006081566.tif 000005
【図４】
2006081566.tif 000006
(57)【要約】  【課題】  本発明は食器洗浄機において軽い食器でもしっかりと固定した状態で洗浄できるようにすることを課題とする。  【解決手段】  食器洗浄機用食器固定具として、網により構成される押さえ部と、前記押さえ部の一定距離を置いた少なくとも２箇所に設けられる、食器洗浄器内の食器を置くかごに係合する固定部と、前記固定部を前記押さえ部側へ引っ張る弾性部材よりなる引張り力発生部とを設ける。このような構成により、押さえ部の下に固定する食器を位置させて、引張り力発生部を伸ばした状態で、固定部を食器洗浄機内の食器を置くかごに係合させ、食器を固定することができる。【選択図】  図２
2006081586.tif 000002
【特許請求の範囲】
【請求項１】
網により構成される押さえ部と、
前記押さえ部の一定距離を置いた少なくとも２箇所に設けられる、食器洗浄器内の食器を置くかごに係合する固定部と、
前記固定部を前記押さえ部側へ引っ張る弾性部材よりなる引張り力発生部と
を有する食器洗浄機用食器固定具。
【請求項２】
前記押さえ部が弾性部材により形成されることにより、前記引張り力発生部が前記押さえ部により構成される請求項１に記載の食器洗浄機用食器固定具。
【請求項３】
前記固定部の少なくとも一つは、２本のフックを並列に固定した形状を有する請求項１又は２に記載の食器洗浄機用食器固定具。
【発明の詳細な説明】
【技術分野】
【０００１】
本発明は食器洗浄機において食器を固定するための器具に関する。
【背景技術】
【０００２】
食器洗浄機は食器に高圧の洗浄水を噴射して食器の汚れを洗浄するものであり、近年、一般家庭に広く普及している。この食器洗浄機では、内部のかごに爪や溝が設けてあり、そこに食器を係合させることで食器を固定している。
【発明の開示】
【発明が解決しようとする課題】
【０００３】
ところで、食器の中にはプラスチック製のものや、薄いものがあり、これらは軽いために食器洗浄機の水圧で浮いてしまうことがある。食器洗浄機の水圧は高いために、一度食器が浮いてしまうと、他の食器とぶつかるなどして破損する場合もある。
そこで、上記の問題に鑑みて、本発明は食器洗浄機において軽い食器でもしっかりと固定した状態で洗浄できるようにすることを課題とする。
【課題を解決するための手段】
【０００４】
上記課題を解決するために、本発明は次のような構成を有する。
請求項１に記載の発明は、網により構成される押さえ部と、前記押さえ部の一定距離を置いた少なくとも２箇所に設けられる、食器洗浄器内の食器を置くかごに係合する固定部と、前記固定部を前記押さえ部側へ引っ張る弾性部材よりなる引張り力発生部とを有する食器洗浄機用食器固定具である。
請求項２に記載の発明は、前記食器洗浄機用食器固定具において、前記押さえ部が弾性部材により形成されることにより、前記引張り力発生部が前記押さえ部により構成されるものである。
請求項３に記載の発明は、前記食器洗浄機用食器固定具において、前記固定部の少なくとも一つは、２本のフックを並列に固定した形状を有するものである。
【発明の効果】
【０００５】
請求項１に記載の発明は、押さえ部の下に固定する食器を位置させて、引張り力発生部を伸ばした状態で、固定部を食器洗浄機内の食器を置くかごに係合させて固定する。これにより、任意の食器を、引張り力発生部による張力で、押さえ部によってかごに押さえつけて固定することができる。また、押さえ部が網により構成されるので、食器洗浄機による洗浄に支障がない。
請求項２に記載の発明は、押さえ部自体を弾性部材で形成し、押さえ部を引張り力発生部と兼用することで、構成を簡易にすることができる。
請求項３に記載の発明は、固定部を２本のフックを並列に固定した形状とすることで、係合させるかごの線材が交わる位置に、２本のフックの間にかごの線材が位置するようにし、この線材と交わる線材に固定部を引っ掛けることでフックが左右に移動せずに確実に押さえ部を固定することができる。
【発明を実施するための最良の形態】
【０００６】
以下、本発明の実施形態について、図面を参照しながら説明する。
図１に本発明の実施形態に係る食器洗浄機用食器固定具Xの正面図を示す。本食器洗浄機用食器固定具Xは、押さえ部１０と、固定部２０とより構成される。押さえ部１０は細長い楕円状の網であり、弾性部材であるシリコンゴムにより形成される。固定部２０は２つ設けられ、それぞれ押さえ部１０の長径の両端部分に固定されている。各固定部２０は２本のフックを並列に固定した形状を有する。なお、固定部２０と押さえ部１０との結合部分は、合成樹脂でできた筒状のカバー２１により覆われている。また、押さえ部１０を弾性部材により形成することで、押さえ部１０は固定部２０を押さえ部１０側へ引っ張る引張り力発生部を兼用することとなる。
次に、以上のような構成を有する食器洗浄機用食器固定具Xの使用方法について説明する。図２に使用方法を表す斜視図を示す。使用者は、まず、食器Ｓを食器洗浄機内のかごＡに置いた状態で、一つの固定部２０をかごＡを構成する線材に引っ掛ける。この際、かごの線材が十字に交わる位置Ａ１に固定部２０を構成する２つのフックの間に線材が位置するように固定することが望ましい。これにより、固定部２０は押さえ部１０側への動きに加えて、左右方向の動きが拘束される。次に、押さえ部１０で食器Ｓを押さえるようにしてかぶせ、さらに、引張りながら他方の固定部２０をかごＡを構成する線材に引っ掛ける。こちらも、かごの線材が交わる位置Ａ１に固定することが望ましいのは言うまでもない。この状態で食器洗浄機を作動させる。食器Ｓは押さえ部１０により押さえられているので、先浄水の水圧によっても浮き上がることがなく、破損などの危険を避けられることとなる。
【０００７】
なお、上記の形態では、固定部２０は２箇所に設けたが、固定部２０の数はこれには限られず、例えば、図３（ａ）に示すように、押さえ部１０の形状を長方形として４つの角にそれぞれ固定部２０を設けるなど任意の数を設けることができる。
また、上記の形態では、押さえ部１０が引張り力発生部を兼用しているが、これを分離してもよい。例えば図３（ｂ）に示すように押さえ部１０を伸縮性のない紐により形成した網として、固定部２０と押さえ部１０との間に弾性部材である平ゴムより構成される引張り力発生部３０を設けるようにすることができる。
さらに、上記の形態では、食器洗浄機用食器固定具Ｘは一つの食器を押さえる例を示したが、押さえ部Ｘの大きさや形状を変更して、複数の食器を一度に押さえたり、かご全体を上から押さえたりするようにもできる。
そして、食器の固定方向も食器の面に沿った方向に押さえ部１０をあわせるほかに、押さえ部１０をこれに垂直な方向に向けてもよく、また、食器をかごの底面ではなく、側面に固定するようにしてもよい。
【図面の簡単な説明】
【０００８】
【図１】発明の実施形態に係る食器洗浄機用食器固定具示す正面図である。
【図２】発明の実施形態に係る食器洗浄機用食器固定具の使用方法を示す図である。
【図３】（ａ）（ｂ）ともに食器洗浄機用食器固定具の他の例を示す正面図である。
【符号の説明】
【０００９】
X    食器洗浄機用食器固定具
１０  押さえ部
２０  固定部
３０  引張り力発生部
【図１】
2006081586.tif 000003
【図２】
2006081586.tif 000004
【図３】
2006081586.tif 000005
(57)【要約】【課題】  釣り具に使われる釣糸用接続具（クッション）の強度を高めかつ伸縮性が良く簡単に切れない何回も使えるものにすること。【解決手段】ポリウレタンエラストマーからなる丸状線材などの芯部１とそれを巻装するポリウレタンエラストマーでなる表層部２とで押し出し成形での構成で芯部１は表層部２より引張り強度や粘度（硬度）を増大させ、表層部２と芯部１との物理的特性を違質にした２重構造で、伸縮性のよい最強のクッションにする。【選択図】  図１
2006081526.tif 000002
【特許請求の範囲】
【請求項１】
釣糸用接続具（クッション）において、ポリウレタンエラストマーからなる丸状線材などの芯部（１）とそれを巻装するポリウレタンエラストマーでなる表層部（２）とで構成し、芯部（１）は表層部２より引っ張り強度、粘度（硬度）を増大させ双方でなる芯部（１）と表層部２との物理的特性を違質にした２重構造でなる伸縮性と引張り強度を向上させたことを特徴とする２重複合クッション。
【発明の詳細な説明】
【技術分野】
【０００１】本発明は、クッション（釣糸用接続具）に関し、詳しくは、道糸側とハリスとの間に接合し、魚類が釣れた際のショックを緩和し、ハリスの切れることを防止する伸縮性がすぐれ強靭にした２重複合クッションに関する。
【背景技術】
【０００２】此の種の従来の技術として、一般的に知られるクッションは、天然ゴムやシリコンゴム、ウレタンゴム等の丸状の単一物性でなる単線が主流でその弾性線条体の両サイドか、片方にサルカン（金属製撚戻し具）を具備して、双方の片方に道糸が結ばれ、片方はハリスが接合されて使用されている。
【発明が解決しようとする課題】
【０００３】しかしながら此れらのクッションは一回ないし数回の使用により弾性が劣化し、伸びてしまい弾性体としての機能しなくなり、頻繁に取替える必要があるため不経済であり、且つ交換が煩雑であるという課題がある。
【０００４】そして特に魚釣りでの大物魚のヒラマサやカンパチのあたりは強く食いついた引張り力は強力で太い強いものが使われることで、伸縮性が劣り材質の粘度を大きくすることで、ある程度の伸び限界でポリッと瞬時に切れるなどの課題がある。
【０００５】このように物での伸縮性の強いクッションは伸縮性が劣ることで魚の餌のあたりが不自然で食いつきを損なうことで釣成果が得られないなどの課題がある。
【問題を解決するための手段】
【０００６】かかるいくつかの欠点ともなる課題を解決するために本発明は、図１で述べるように、ポリウレタンエラストマーからなる丸状線材の芯部１とそれを巻装するポリウレタンエラストマーでなる表層部２とで構成し、芯部１を表層部２より引張り強度や粘度を増大させ、表層部２と芯部１との物理的特性を違質にした２重構造にし、伸縮性のよい最強のクッションにする構成である。
【発明の効果】
【０００７】上述する発明により、次の優れた効果を奏することが出来る。
即ち、芯部とそれを巻装する表層部との個別の物理的特性が調和することで、単線にないしなやかで高強度が得られることで、特にカンパチやヒラマサのような引張り力の強烈な魚の当りに最適な餌あたりと餌食いつきでの引張りに絶える２重複合クッションを提供することが出来る。
【０００８】そしてまた、高強度の芯部を伸縮性のよい表層部とで押し出し成形による２層構成のため水中での屈曲がすぐれ海流に自然体に調和する働きが、魚に恐怖感を与えることなくハリスの動きを誘導し釣成果の得られる２重複合クッションを提供することが出来る。
【０００９】このように２層にすることで、表層部にキレツが入っても芯部の外周止まりでそれ以上キレツが発展して破損したり、単線と同じ太目で数倍の強度と優れた伸縮性の得られるメンテナンス頻度の少ない２重複合クッションを提供することが出来る。
【発明を実施するための最良の形態】
【００１０】本発明を更に詳細に説明するに、請求項１での実施例を図１、図２で述べるように、弾性線条の細長いポリウレタンエラストマーを芯部１にし、その芯部１を所定の直径で巻装する表層部２とで押し出し成形し構成するが双方の物理的特性を違質にすることで単線にない新たな特性を具現化する。【００１１】即ち、芯部１を粘度にし、それを巻装する表層部２を低粘度にすることで中心部と表面部の双方の諸特性が相俟って単線にない同じ太さでの強度が強く且つ強度の高い単線に比較なら伸縮性が双方の物理特性の組合わせで具現化している。【００１２】これらの２重層で押し出し成形されるポリウレタンエラストマーの複合材での線状は所定の大きさと長さとで形成され、それらの端子には道糸を接続するサルカン（金属製撚戻し具）３が接続されて他方にはハリスが接続されて釣竿の仕掛けを構成するのは従来のクッションの接続と同じである。【００１３】勿論のこと、これらの実施形態においては、双方に成形される弾性線条体のポリウレタンエラストマーの適切な組合わせでの引張り強度や粘度（硬質）や伸び率など或いは大きさや全長や芯部１表層部２の諸数値での特定は様々な商品形態と魚類との選択組合わせが不特定多数のため省略するが、製造過程においておのづから最適な数値などが確定されるのは当然のことである。【００１４】また上記する２重層での構成を市販品でのアピール性を高め他の単線でのクッションとの差別をつけるための芯部１を着色例えば赤色に成形し表層部２を透明にするなどは容易に考えられる。
【図面の簡単な説明】
【００１５】
【図１】本発明に係わる全体を示す一部断面での斜視図である。
【図２】本発明に係わる部分断面斜視図である。
【符号の説明】
【００１６】１        芯部
２        表層部
３        サルカン
【図１】
2006081526.tif 000003
【図２】
2006081526.tif 000004
(57)【要約】【目的】ペットの習性を考慮し、排尿のしつけを容易にできるペット用トイレを提供する。【構成】ペット用トイレ内部に突起形状を形成する。ペット例えばおす犬は突起形状部を習性に起因するマーキング行動の対象物と認識し、脚上げ排尿を促がされる。【選択図】          図１
2006081528.tif 000002
【特許請求の範囲】
【請求項１】
ペットトイレにおいて内部に突起状形状を有する事を特徴としたペット用トイレ。
【請求項２】
請求項１の突起状形状が円柱状である事を特徴としたペット用トイレ。
【請求項３】
請求項１の突起状形状が多角柱状である事を特徴としたペット用トイレ。
【発明の詳細な説明】
【技術分野】
【０００１】  本発明は、ペット用のトイレに関するものである。
【背景技術】
【０００２】  従来より、ペット用トイレには様々なものがある。清掃のし易さ、脱臭機能等そのほとんどが飼主の都合に合わせたものである。
しかしながら、例えば成犬おすの脚上げ排尿のようにペットの習性を考慮したものがなくしつけにおいても困難を伴っている。
【発明の開示】
【発明が解決しようとする課題】
【０００３】  本発明は従来の技術の問題点である、飼主側の都合ではなくペットの都合に合わせたペット用トイレを提供するものである。
【課題を解決するための手段】
【０００４】  本発明は前述した課題を解決するために、ペットの習性に合わせた形状を形成するものである。おす犬を例にとればトイレ中央部に突起形状を形成する。
【発明の効果】
【０００５】  おす犬の場合、生後約６ヶ月を過ぎると自然と脚を上げて排尿するようになる。これはマーキングといわれる一種の縄張りの主張である。散歩中に脚上げ排尿の習慣がつくと家の中でも同様の行動をとる。しかし従来のペット用トイレは吸収シートを平面状に敷いてあるため犬自身が戸惑いを見せ、そのため排尿のしつけがなかなかうまく行かないという状況になっている。本発明のペット用トイレにおいては中央部に突起形状を有しているため、おす犬が本来持っている習性である脚上げ排尿を容易に促がす事ができる。
【発明を実施するための最良の形態】
【０００６】    トイレ内部に略垂直方向に突起形状を形成する。おす犬は突起形状を散歩等で習慣化された電柱等に見立てる事で脚上げ排尿を促がされる。飼主も家での排尿習慣をしつけるのに大きな労力を伴う事がなく自然と容易に習慣化する事ができる。
【実施例】  本発明に係るペット用トイレについて、以下に図を参照しながら説明をする。図１は本発明に係る全体の斜視図、図２は突起形状が四角柱の場合を表す。図３は突起形状が板状の場合を表す。
図１においてペット用トイレ本体の内部に突起形状を形成する。さらには吸収シートを敷いて周囲を略固定する。突起形状部は一体成形あるいは分割式とし分割式の場合は本体と突起形状部の間に吸収シートを挟み込む事も可能となる。
おす犬を例にあげれば、犬にとって突起形状部は習性に起因するマーキング行動の対象物と認識される。これにより自然と脚上げ排尿を促がされる事となる。突起形状部には尿臭が残りこれにより犬は排尿場所を認識し、習慣化される。【０００７】  多頭飼いにおいてはトイレも複数用意しなければならない場合もある。これは縄張りに対する行動の一つと考えられているが、本発明の突起形状を図２のような四角柱あるいは図３の板状にして各犬がそれぞれ違う面を使用する事で一つのトイレを共有する事が可能となる。【０００８】  突起形状を取り外し可能の構造にしておけば清掃も容易であり、この空間部を利用して内部に脱臭剤等の設置も可能となる。
【産業上の利用可能性】
【０００９】  本発明はおす犬の場合を想定して突起形状としているがめす犬においても排泄場所の認識を容易にする助けとなる。また他のペットについてもその習性を勘案してその形状を変える等応用範囲をさらに広げる事ができる。
以上上述した如く、本発明によればペットの習性に合わせたペット用トイレを提供する事が出来、家での排尿しつけも容易となる。ペットに対してもストレスを与える事が少なくなり、飼主、ペット共に快適な関係を保つ事が可能となる。
【図面の簡単な説明】
【００１０】
【図１】本発明に係る全体の斜視図
【図２】突起形状が四角柱の場合の斜視図
【図３】突起形状が板状の場合の斜視図
【符号の説明】
【００１１】１    トイレ本体
２    突起形状部
２ａ  突起形状台座部
２ｂ  突起形状上部
３    吸収シート
【図１】
2006081528.tif 000003
【図２】
2006081528.tif 000004
【図３】
2006081528.tif 000005
(57)【要約】【課題】本発明は屋外で飼育するペットにフードトレーにて、餌を与え、ペットが餌を食べ残した場合に、蟻の侵入を防ぐ為にトレーの外輪に水を満たすための溝を設けたペットトレーを提供する。【手段】本発明に係るペット用フードトレーは、ペットが残した餌に群がる蟻の侵入を防ぐ為に、トレーの外輪に水を満たす為の溝を設けたトレーである。【選択図】図１
2006081531.tif 000002
【特許請求の範囲】
【請求項１】
ペットのフードトレーの外輪に水を満たし、蟻の侵入を防ぐための溝を設ける。
【発明の詳細な説明】
【発明の詳細な説明】
【技術分野】
【０００１】この発明は屋外で飼育するペットに餌を与え、それを残した際に外輪の溝に水を満たしておき、蟻の侵入を防ぐフードトレーである。
【背景技術】
【０００２】従来のフードトレーはペットが餌を残した場合に蟻の侵入を防止するものがなく、蟻が侵入し群がり都度残した餌の廃棄処分を余儀なくされた。
【発明が解決しようとする課題】
【０００３】  屋外で飼育するペットに餌を与え、それを残した場合にもフードトレーへの蟻の侵入を防ぎ、再度ペットが餌を食べることを可能にするために、フードトレーの外輪に水を満たす為の溝を設ける。
【課題を解決する為の手段】
【０００４】ペット用フードトレーの外輪に水を満たす為の溝を設ける。
【発明実施の形態】
【０００５】本発明の実施の形態を説明する。  ペット用フードトレーの外輪に蟻の侵入を防止するために水を満たす為の溝を設ける。
【発明の効果】
【０００６】  屋外で飼育するペットに餌を与え、残した場合に、しばらく時間が経過しても、ペットは再度餌を食べる事が出来、廃棄処分しなくても良くなる。
【図面の簡単な説明】
【図１】フードトレーの斜視図
【図２】フードトレーの断面図
【図１】
2006081531.tif 000003
【図２】
2006081531.tif 000004
(57)【要約】【課題】普通、盆栽を回転させる時、その時、負荷が掛かかる。また強風の際には棚からの落下防止の為降ろしたりまた上げたりと負荷がかかる。その欠点を取り除くのが目的である。【解決手段】コンクリート製の回転テーブルに、盆栽を固定するボルトを埋め込んだ。針金をナットと蝶ネジで挟んで固定すれば楽に回転できるし強風の際にも上げ下ろしは必要ない。【選択図】図１
2006081533.tif 000002
【特許請求の範囲】
【請求項１】
（１）盆栽用固定ボルトをコンクリート製回転テーブルの側面中央に埋め込みを行った回転式テーブル。
【発明の詳細な説明】
【技術分野】
【０００１】この発明は盆栽用の固定ボルトをコンクリート製回転テーブルの側面中央に２箇所埋め込みを行った物である。
【背景技術】
【０００２】
【発明の開示】
【発明が解決しようとする課題】
【０００３】従来、普通の盆栽は棚に直置きされていた。その盆栽は回転させようとすると負荷が高く強風の場合は棚からの落下が発生していた。
【課題を解決するための手段】
【０００４】本発明はその欠点をなくすために考えたもので、それを図面のうえで説明すると、コンクリート製の回転テーブルにボルト１，２を取り付ける。鉢は針金で固定する。
【発明の効果】
【０００５】したがって回転時の負荷はいらず回転式テーブルの自重で強風でも棚から落下しない。
【発明を実施するための最良の形態】
【０００６】
【実施例】
【０００７】しかも針金で固定してもテーブルは回転可能なので日光を均一に当てることが可能であり水やりも全体にやる事が出来る。また剪定、草取りも楽に出来、強風の際も棚から降ろす必要もなく盆栽の生育作業を楽にした。
【産業上の利用可能性】
【０００８】
【図面の簡単な説明】
【０００９】
【図１】本発明の側面図
【符号の説明】
【００１０】  １．ボルト
２．ボルト
３．ナット
４．座金
５．蝶ネジ
【図１】
2006081533.tif 000003
(57)【要約】【課題】    従来の釣針には、餌がテグスに上がらないよう工夫された釣針はないことから、魚が掛かり引き上げるときに、魚が暴れて餌はテグスに上がり、餌の原形が崩れやすくなるために手直しを要することと、餌が長持ちしなく無駄になる。【解決手段】  釣針に、塩化ビニール製の素材で薄板を、釣針の基部の直線に摺動可能にするように嵌合されることを特徴としている。【選択図】図1
2006081401.tif 000002
【特許請求の範囲】
【請求項１】
釣針の基部の直線部に合成樹脂製の薄板を摺動可能に嵌合して成る餌上がり止め具。
【発明の詳細な説明】
【技術分野】
【０００１】
この発明は、釣針における餌上がり止め具に関するものである。  
【背景技術】
【０００２】
従来は、ハリスに餌止めグリップを取り付け、針に付けた餌を挟持脚の押圧作用で挟み、餌を止めるグリップが考案されているが、仕掛け等に手間が掛かるなど一般的には使用されていない。
このことから、釣針に取り付けが簡単で、手間が掛からない、餌が節約できるような餌上がり止め具が望まれている。
【特許文献１】実開  昭６３−１１２４８号公報
【発明の開示】
【発明が解決しようとする課題】
【０００３】
既存する釣針本体に、餌がテグスに上がらないよう工夫された釣針はないことから、魚が掛かり引き上げるときに、魚が暴れて餌がテグスに上がり、餌の原形が崩れやすくなるために、手直しに手間を要することと餌が長持ちしないために無駄になる。
そこで、この発明は、餌上がり止め具は簡単に取り付けができ、餌の原形が崩れにくく手直しが省けることと、餌が長持ちして節約するのに有効な餌上がり止め具を提供することを課題とする。
【課題を解決するための手段】
【０００４】
以上の課題を解決するために、発明は、既存の釣針に、合成樹脂製の素材で薄板を、釣針の基部である直線部に摺動可能にするように嵌合して成る餌上がり止め具であり、釣針に餌を付ける前に、薄板を釣針に取り付けて使用するものである。          
【発明の効果】
【０００５】
本発明による、餌上がり止め具を釣針に餌を付ける前に、釣針に取り付けることによって、魚が掛かり引き上げるときに、暴れてもテグスに餌が上がることを止めるのに極めて有効である。
また、釣針の形状に拘りなく簡単に取り付けて使用ができることと、薄板の取り付けが簡単であり、餌の原形が崩れにくく手直しが省けることと、餌が長持ちして節約できる。
【発明を実施するための最良の形態】
【０００６】
発明の実施形態を図１で示す。
釣針の本体は針金製で、構造はハリス止め１・ハリス止め２・基部４・掛バリ５・逆止かえり６・掛け針先７が一体的に設けられている。
この釣針の基部４の直線部に塩化ビニール製の素材で作る薄板３を、摺動可能にするように嵌合してある。
薄板の形状は、四角板図１および円板状図２とかには特にこだわらない。
大きさは、釣針および魚の大小によって、直径２mm〜１０mm、厚さは0.２mm〜0.５mm、色別は赤・黄・橙・ピンク系は魚が寄ってくるので有効である。
なお、魚種に活用する餌上がり止め具の大きさは、目安として、直径２ｍｍ〜３ｍｍはワカサギ・チカ、４ｍｍ〜６mmはヤマメ・カレイ・鯛、７ｍｍ〜８ｍｍはソイ・ススキ、９mm〜１０ｍｍはカジカ・アキアジ類に有効である。また、厚さは釣針の大きさによって増加するのが一般的である。
本実施例は塩化ビニール製薄板で示したが、これ以外に他の合成樹脂の使用も当然可能である。
【産業上の利用可能性】
【０００７】
本発明は、薄板を嵌合して、活き餌または生餌を付けて、ワカサギ・チカ・ヤマメ・カレイ・鯛・鰤・ソイ・アキアジ類を釣るのに使用することができる。
【図面の簡単な説明】
【０００８】
【０００９】
【図１】発明の実施形態を示す斜視図である。
【図２】図１と異なる形状の釣針に円板状の実施形態を示す斜視図である。
【符号の説明】
【００１０】
１  ハリス              
２  ハリス止め              
３  合成樹脂製の薄板を釣針の基部の直線部に取り付けたもの。
４  基部
５  掛バリ
６  逆止かえり
７  掛け針先
【図１】
2006081401.tif 000003
【図２】
2006081401.tif 000004
(57)【要約】【課題】  従来のような作業性が悪く、故障の際手間がかかる問題を解決するため、消耗部品の材質を変更し、作業性の向上を課題とした装置の提供を目的としている。【解決手段】  上記課題を解決するため、本発明の第１手段では、フレームに横架した回転胴枠体の内面に金網を張設した回転金網胴と、該回転金網胴の中心に撹拌軸を具えた製茶蒸機において、撹拌軸カップリングのピン周囲に樹脂部材を用いる。【選択図】図１
2006081424.tif 000002
【特許請求の範囲】
【請求項１】
フレームに横架した回転胴枠体の内面に金網を張設した回転金網胴と、該回転金網胴の略中心に撹拌軸を具えた製茶蒸機において、主軸と撹拌軸のカップリング部のピン周囲に樹脂部材を用いたことを特徴とする製茶蒸機。
【請求項２】
ピン周囲の樹脂部材を脱着自在としたことを特徴とする請求項１記載の製茶蒸機。
【発明の詳細な説明】
【技術分野】
【０００１】
本発明は、製茶蒸機に関するものであり、主軸と撹拌軸のカップリング部の構造に関するものである。
【背景技術】
【０００２】
製茶工場の製茶製造工程において、蒸機にて茶葉が蒸熱処理されると粘着性が高くなり、回転金網胴、撹拌軸といった蒸機諸部材に茶渋、茶屑などの異物が付着しやすくなる。そうした異物が製品中に混入すると製品品質の低下を招いてしまうため、蒸機の撹拌軸は、１日１回程度、機械から取り外して掃除を行なっている。また、茶葉の性状、摘採時期、蒸時間の変更等に応じて、撹拌羽根の取付ピッチの異なる撹拌軸に取り替える作業が行なわれている。
【０００３】
蒸機の撹拌軸と主軸の連結構造には、ボルトで留めるもの（特許文献１）などがある。
【特許文献１】特開２０００−１６６４７１号公報
【発明の開示】
【発明が解決しようとする課題】
【０００４】
従来、撹拌軸カップリングは全て鉄部材を使用していたため、経年変化により錆が発生し、カップリング部（撹拌軸カップリングのピン周囲と主軸カップリング同士）が固着し、撹拌軸の取り外しが大変な重労働になっていた。また、撹拌軸カップリングのピン部が磨耗によって減ってしまうと、カップリング部全体（主軸カップリング、撹拌軸カップリングの両方）を交換することになり、コストがかかるという問題があった。
【０００５】
また、１日２４時間操業する中で、撹拌軸、撹拌羽根、回転金網胴に茶渋、茶屑等が付着し連続運転の妨げとなることがあった。一端付着した茶葉は、ブラシ等を用いないと完全に取り除くことが出来ないため、１日に１回程度撹拌軸を取り外し掃除を行なってきた。
【０００６】
従来のような作業性が悪く、故障の際手間がかかる問題を解決するため、消耗部品の材質を変更し、作業性の向上を課題とした装置の提供を目的としている。
【課題を解決するための手段】
【０００７】
上記課題を解決するため、本発明の第１手段では、フレームに横架した回転胴枠体の内面に金網を張設した回転金網胴と、該回転金網胴の中心に撹拌軸を具えた製茶蒸機において、撹拌軸カップリングのピン周囲に樹脂部材を用いる。第２手段では、撹拌軸カップリングのピン周囲の樹脂部材を脱着自在とする。
【発明の効果】
【０００８】
本発明の第１、２手段によって、撹拌軸の取り外しが容易となり、メンテナンス、撹拌軸交換の作業性が向上する。また、撹拌軸カップリングのピン周囲の樹脂部材が脱着自在となり、摩耗により減った場合、撹拌軸と主軸のカップリングの交換が不要になり、修理コストが少なくてすむ。
【発明を実施するための最良の形態】
【０００９】
本発明の製茶蒸機の実施例について、図１〜３を参照して説明する。製茶蒸機では、茶園で刈り取られた茶葉に蒸気を供給しながら葉打ち、或いは葉振るいし、茶葉に柔軟性を与えて次工程の揉乾加工を円滑に行う、また、茶葉に含まれる酸化酵素を失活させる蒸熱処理を行なっている。
【００１０】
この装置の基本構成は、Lアングルまたは角パイプ等の部材からなるフレーム１１に固定され、蒸気を噴出して茶葉を蒸す固定蒸胴１５と、胴カバー１２に覆われた回転胴枠体の内面に金網を張設した回転金網胴１３と、両胴部分を貫通して設けられた撹拌軸５を主要部材としてなる。
【００１１】
回転金網胴１３は、所々に大きな透孔を有する回転胴枠体とこの回転胴枠体の内面にステンレス製の金網が張設されて成り、片側をフレーム１１に設けられた２個のコロ１６にギヤ２０を介して支持され、他方をフレーム１１に設けられた２個のコロ１７に支持される。そして回転金網胴１３はギヤ２０を介して駆動される。
【００１２】
撹拌軸５には撹拌羽根１４が列設され、固定蒸胴１５では茶葉を送り込む機能を、回転金網胴１３では葉打ち機能を有し、固定蒸胴１５に吹き込まれる蒸気と茶葉を接触させながら、回転金網胴１３内で葉打ちをして後端より排出する。撹拌軸５は図１に示すように、一端でカップリング部６を介して主軸１に連結され、他端はフレーム１１に固定される支持板１８の上の軸受１９で軸支されている。主軸１の接合端と撹拌軸５の接合端には、それぞれ主軸カップリング２、撹拌軸カップリング４が取り付けられており、撹拌軸カップリングのピン７と主軸カップリング２が圧接固定されるようになっている。すなわち、支持板１８をフレーム１１から外し、カップリング部６を開放すれば、撹拌軸５を回転金網胴１３から抜き出すことが出来る。この方法で撹拌軸５の交換、機械から取り外して清掃を行なっている。また、撹拌軸カップリング４の樹脂部材３が摩耗した際は、樹脂部材３のみ取外して交換可能となる。
【図面の簡単な説明】
【００１３】
【図１】製茶蒸機の正面図
【図２】本発明に係るカップリング部の詳細図
【図３】本発明に係る撹拌軸カップリングと主軸カップリングを外した詳細図
【符合の説明】
【００１４】
１  主軸
２  主軸カップリング
３  樹脂部材
４  撹拌軸カップリング
５  撹拌軸
６  カップリング部
７  撹拌軸カップリングのピン
１１  フレーム 
１２  胴カバー
１３  回転金網胴
１４  撹拌羽根 
１５  固定蒸胴 
１６  コロ
１７  コロ
１８  支持板
１９  軸受
２０  ギヤ
【図１】
2006081424.tif 000003
【図２】
2006081424.tif 000004
【図３】
2006081424.tif 000005
(57)【要約】【課題】  春巻皮やクレープ皮に、ゴマ・ピーナッツ・乾燥ニンニク等を添加・加工したものは市場には出ていない。これは、従来の原料液（小麦粉・卵等に水等を加えて練成したもの）に加えて攪拌し焼成する方法では、混入した粒子が大きい（１〜２ｍｍ）と原料液の吸出口と焼成機の焼付面の間で詰まったり、原料液がダマになる為に、皮が所々破れてしまうなど春巻皮として使えるものができなく、又粒子を細かくして混入すると、皮に要求される強度が出ないという欠点があった。【解決手段】  丈夫で破れにくく、しかも荒い粒子状の食品を添付しても皮の表面にしっかりと保持され、かつ具を巻くときにも剥がれ落ちないという特徴を持った春巻皮を連続的に作るために、粒子状の食材を圧縮空気を吹き付けることによって表面に張り付かせて、そのまま焼成する方法で問題の解決を行った。【選択図】  図１
2006081458.tif 000002
【特許請求の範囲】
【請求項１】
水平軸回りに低速回転する加熱された回転ドラムの外周面にペースト状の春巻皮生地を塗布して春巻皮に仕上げるようにした春巻皮製造装置において、前記回転ドラムの外周面に付着した未焼成状態の春巻皮の生地の表面に向けて粒子状の食品を吹き付ける粒子状食品吹付け手段を設けたことを特徴とする春巻皮製造装置。
【請求項２】
前記粒子状食品吹付け手段が、粒子状の食品を収容するホッパーと、ホッパーの下部に設けた粒子状の食品を払い出す払出し装置と、払出し装置から送給される粒子状の食品を圧縮空気によって未焼成状態の春巻皮生地の表面に放射する扇形放射器とを備えることを特徴とする請求項１記載の春巻皮製造装置。
【発明の詳細な説明】
【技術分野】
【０００１】
本発明は、春巻皮及びクレープ皮製造装置に関するものである。
【背景技術】
【０００２】
春巻皮やクレープ皮を連続的に製造する方法は、円形ドラム状の回転型焼成機で焼き上げる方法が普及している。
【０００３】
【特許文献１】特開２００１−０１７０６４号公報
【発明の開示】
【発明が解決しようとする課題】
【０００４】
近年、高齢化が進む中で健康に対する関心や欲求が高まり、健康に利する機能性食品の開発が求められているところであるが、春巻皮、クレープ皮に、ゴマ、ナッツ、乾燥ニンニク、各種ハーブ等を添加、加工して、味、香り、風味、栄養機能を付加させた皮は、未だ市場に出てきていない。
【０００５】
円形ドラム状の回転型焼成機で、ゴマ等の粒子状の食品を皮の表面に添加したゴマ春巻皮を焼く場合、２つの方法が考えられる。
１つは、原料液（小麦粉、卵、乳化剤、水等を加えて練ったもの）に、ゴマ等の粒子状のものをそのまま加えて攪拌し焼成する方法、もう１つは、粒子を粉状に近い形にして混入する方法とである。
第一の方法は、原料液の吹出口で詰まって、皮がその部分から切れてしまい、所定の広さの皮ができない場合が多く発生する。詰まらないようにするためには、吹出口とドラム表面との間を広く取る必要が生じて、皮がかなり厚くなってしまうといった欠点が生じる。
第二の方法は、皮そのものの組成が変わるために、皮がもろく劣化しやすい状態になる。
【課題を解決するための手段】
【０００６】
今までの欠点を克服して、丈夫で破れにくく、しかも粒子が皮の表面にしっかりと保持され、かつ皮を巻くときに剥がれ落ちないという条件を満たす春巻皮を、連続的に製造する装置として考案したのが本発明である。
圧縮空気を使って、ゴマ等の粒子状食品を回転ドラム表面の焼付面に吹出されたばかりの未焼成状態の原料液に向けて、強く吹き付けて付着させ、回転させながら焼成することで課題の解決ができた。
【０００７】
ゴマ等の粒子状食品をホッパーより投入し、調節口（落下口の大きさを２枚の穴の開いた調節板をずらすことで穴の大きさを変えられる）より、バイブレーターで振動させて、穴詰まりを防止させて一定量を落下させ、パイプを通じて扇型射出器に落下させ、エアーコンプレッサーより引き入れられたエアーを、調節バルブで強さを調節し射出口より放射状に射出して、回転ドラム表面の焼付面に吹出されてすぐのドロドロの状態の液表面に向けて吹付けることにより、表面に付着させた状態で連続的に焼成できる装置が本発明である。
【発明の効果】
【０００８】
皮の表面にゴマ、ナッツ、ニンニク、各種ハーブなどを添加、加工を可能にするため、皮自体の組成を変化させないので、春巻の味、食感を損なうことがない。
【０００９】
糊状のものや、添加物等を一切使う必要がないために、今までの春巻皮の扱いと同じように取り扱いができる。
【００１０】
装置自体が非常に簡単で、連続的に皮の製造ができる。
【図面の簡単な説明】
【００１１】
【図１】ドラム状回転焼成機にゴマ春巻皮製造装置を取り付けた説明図である。
【図２】粒子状食品ホッパー、バイブレーター及び調節口を示した説明図である。
【図３】扇型放出器及びエアー調節バルブを示した説明図である。
【符号の説明】
【００１２】
１    粒子状食品ホッパー
２    調節口
３    バイブレーター
４    パイプ
５    扇型放出器
６    エアーコンプレッサー
７    エアー調節バルブ
【図１】
2006081458.tif 000003
【図２】
2006081458.tif 000004
【図３】
2006081458.tif 000005